(57)【特許請求の範囲】
【請求項１】
インターネット上で仮想的な会場を提供する為の仮想会場提供システムであって、
出展者が出展する複数の区画を有する会場情報、前記出展者の出品物に関する出品物情報及び、前記区画ごとに設定され、個々の出展者が出展を行う出展ブースに関するブース情報を記憶した記憶部と、
来場者が使用する端末装置に情報の出力を行うサーバ装置と、を備え、
前記サーバ装置は、選択可能に設けられた複数の区画を有する仮想的な会場を前記端末装置に表示する為に、前記会場情報を出力する会場出力手段と、
出展ブースを前記端末装置に表示する為に、前記会場において選択された区画のブース情報を出力するブース出力手段と、
前記出展ブースにおいて受け付けた出品物の表示要求に応じて、出品物情報を出力する出品物出力手段と、を有し、
前記端末装置で表示される区画の内少なくとも、出展が行われている区画と、出展の準備中の区画と、出展がなされていない区画とは、識別可能に表示されることを特徴とする仮想会場提供システム。
【請求項２】
前記出品物出力手段は、出品物情報としてカタログを前記端末装置に表示する為に、カタログ情報を出力し、
前記カタログは、１以上の出品物が記載されたページを１以上備え、ページめくりを行うことで閲覧される電子コンテンツであることを特徴とする請求項１に記載の仮想会場提供システム。
【請求項３】
前記出品物情報に対する購入要求に応じて、選択された出品物を購入リストに追加する追加手段と、
前記購入リストに追加された出品物を購入する為の決算手段と、を備えることを特徴とする請求項１又は請求項２に記載の仮想会場提供システム。
【請求項４】
前記会場情報は、区画と併せて表示され、前記区画を識別する為の区画識別情報によって一意に特定可能に表示し、
前記区画識別情報及び出展者に関する情報を並べた出展者一覧を前記端末装置に表示する為に、一覧情報を出力する一覧出力手段を有することを特徴とする請求項１〜３の何れかに記載の仮想会場提供システム。
【請求項５】
前記会場において受け付けた出展者に関する情報の表示要求に応じて、出展者情報を出力する出展者出力手段を有すること、を特徴とする請求項１〜４の何れかに記載の仮想会場提供システム。
【請求項６】
前記表示要求は区画をマウスオーバーすることで受け付けられ、前記出展者出力手段によって出力される前記出展者情報は、ポップアップ表示されることを特徴とする請求項５に記載の仮想会場提供システム。
【請求項７】
インターネット上で仮想的な会場を提供する為のサーバ装置であって、
選択可能に設けられた複数の区画を有する仮想的な会場を端末装置に表示する為に、出展者が出展する複数の区画を有する会場情報を出力する会場出力手段と、
出展ブースを前記端末装置に表示する為に、前記区画ごとに設定され、前記会場において選択された区画のブース情報を出力するブース出力手段と、
前記出展ブースにおいて受け付けた出品物の表示要求に応じて、前記出展者の出品物に関する出品物情報を出力する出品物出力手段と、を有し、
前記端末装置で表示される区画の内少なくとも、出展が行われている区画と、出展の準備中の区画と、出展がなされていない区画とは、識別可能に表示されることを特徴とするサーバ装置。
【請求項８】
インターネット上で仮想的な会場を提供する為の仮想会場提供プログラムであって、
コンピュータを、選択可能に設けられた複数の区画を有する仮想的な会場を端末装置に表示する為に、出展者が出展する複数の区画を有する会場情報を出力する会場出力手段と、
出展ブースを前記端末装置に表示する為に、前記区画ごとに設定され、前記会場において選択された区画のブース情報を出力するブース出力手段と、
前記出展ブースにおいて受け付けた出品物の表示要求に応じて、前記出展者の出品物に関する出品物情報を出力する出品物出力手段と、として機能させ、
前記端末装置で表示される区画の内少なくとも、出展が行われている区画と、出展の準備中の区画と、出展がなされていない区画とは、識別可能に表示されることを特徴とする仮想会場提供プログラム。
【発明の詳細な説明】
【技術分野】
【０００１】
本発明は、インターネット上での仮想的なイベントブースを提供する為の仮想ブース提供システムに関るものである。
【背景技術】
【０００２】
従来、現実のイベントスペース等を会場として、複数の出展者が所定の区画にブースを構えて製品やサービスの展示等を行う展示会が開催されている。こうした現実の展示会では展示会の開催期間や開催場所が定められるため、来場者に対して時間面や費用面の負担が生じていた。また、主催者や出展者の立場では、そうした制約から参加可能な来場者が限られることとなるため、より多くの来場者を獲得可能な展示会の開催方法が求められていた。
【０００３】
そのような問題を解決する技術として、ウェブページ上に来場者の端末からインターネットを介して来場（アクセス）が可能な仮想的な会場を構築した、仮想的なイベント会場の貸与システムが知られている（特許文献１）。
【０００４】
また、仮想的なイベント会場の利用を促進する技術として、各出展者によって行われる発表（プレゼンテーション）を動画として配信する技術（特許文献２）が知られている。また、機密性の高い商談を行う為に、出展者と来場者の間で利用される暗号化されたチャットを提供する技術（特許文献３）が知られている。
【０００５】
このような仮想的なイベント会場を提供する為の技術によって、これまで地理的制約等により展示会への参加が困難であった参加者であっても参加することができ、開催費用等を大幅に削減することが可能な、仮想的な展示会を開催することが可能となった。
【先行技術文献】
【特許文献】
【０００６】
【特許文献１】特開２００２−１０９４１４号公報
【特許文献２】特開２００２−３５１９６５号公報
【特許文献３】特開２００１−１６００６５号公報
【発明の概要】
【発明が解決しようとする課題】
【０００７】
しかしながら、従来技術において、複数のブースを有する仮想的な展示会の会場において、所望の出展者がどのブースを出展しているのか分かりづらいという問題があった。
【０００８】
また、商品の展示や販売等を行う為の仮想的な展示会の運営を、効率的に取り行う為の技術は従来技術において開示されていない。
【０００９】
本発明は、上記のような実状に鑑みてなされたものであり、商品の展示や販売等を行う為の仮想的な展示会の運営を、効率的に取り行う為の仮想ブース提供システムを提供することを課題とする。
【課題を解決するための手段】
【００１０】
上記課題を解決するために、本発明は、インターネット上で仮想的な会場を提供する為の仮想会場提供システムであって、
出展者が出展する複数の区画を有する会場情報、前記出展者の出品物に関する出品物情報及び、前記区画ごとに設定され、個々の出展者が出展を行う出展ブースに関するブース情報を記憶した記憶部と、
来場者が使用する端末装置に情報の出力を行うサーバ装置と、を備え、
前記サーバ装置は、選択可能に設けられた複数の区画を有する仮想的な会場を前記端末装置に表示する為に、前記会場情報を出力する会場出力手段と、
出展ブースを前記端末装置に表示する為に、前記会場において選択された区画のブース情報を出力するブース出力手段と、
前記出展ブースにおいて受け付けた出品物の表示要求に応じて、出品物情報を出力する出品物出力手段と、を有し、
前記端末装置で表示される区画の内少なくとも、出展が行われている区画と、出展の準備中の区画と、出展がなされていない区画とは、識別可能に表示されることを特徴とする。
【００１１】
このような構成とすることで、複数の区画を有する会場と、個々の出展者のブースと、個々の出展者の出品物情報と、を表示して、仮想的な会場を提供することができる。
【００１２】
本発明の好ましい形態では、前記出品物出力手段は、出品物情報としてカタログを前記端末装置に表示する為に、カタログ情報を出力し、
前記カタログは、１以上の出品物が記載されたページを１以上備え、ページめくりを行うことで閲覧される電子コンテンツであることを特徴とする。
このような構成とすることで、ブースにおいて、個々の出展者の出品物をカタログ上の電子コンテンツとして閲覧することができ、より現実に近い形で出品物を閲覧することができる。また、どのような出品物があるのかを、容易に確認することができる。
【００１３】
本発明の好ましい形態では、前記出品物情報に対する購入要求に応じて、選択された出品物を購入リストに追加する追加手段と、
前記購入リストに追加された出品物を購入する為の決算手段と、を備えることを特徴とする。
このような構成とすることで、個々のブースで決済を行う必要が無くなり、複数のブースを周って希望の商品を選択した後、決済を行うことができる。
【００１４】
本発明の好ましい形態では、前記会場情報は、区画と併せて表示され、前記区画を識別する為の区画識別情報によって一意に特定可能に表示し、
前記区画識別情報及び出展者に関する情報を並べた出展者一覧を前記端末装置に表示する為に、一覧情報を出力する一覧出力手段を有することを特徴とする。
このような構成とすることで、会場ページに表れるどのブースにどの出展者がいるのか容易に把握することができ、会場内の移動を効率的に行うことができる。
【００１５】
本発明の好ましい形態では、前記会場において受け付けた出展者に関する情報の表示要求に応じて、出展者情報を出力する出展者出力手段を有すること、を特徴とする。
また、本発明の好ましい形態では、前記表示要求は区画をマウスオーバーすることで受け付けられ、前記出展者出力手段によって出力される前記出展者情報は、ポップアップ表示されることを特徴とする。
このような構成とすることで、ブースにいる出展者の判別を容易に行うことができ、会場内の移動を効率的に行うことができる。
【００１６】
本発明の好ましい形態では、前記端末装置で表示される区画の内少なくとも、出展が行われている区画と、出展の準備中の区画と、出展がなされていない区画とは、識別可能に表示されることを特徴とする。
【００１７】
本発明は、インターネット上で仮想的な会場を提供する為のサーバ装置であって、
選択可能に設けられた複数の区画を有する仮想的な会場を端末装置に表示する為に、出展者が出展する複数の区画を有する会場情報を出力する会場出力手段と、
出展ブースを前記端末装置に表示する為に、前記区画ごとに設定され、前記会場において選択された区画のブース情報を出力するブース出力手段と、
前記出展ブースにおいて受け付けた出品物の表示要求に応じて、前記出展者の出品物に関する出品物情報を出力する出品物出力手段と、を有し、
前記端末装置で表示される区画の内少なくとも、出展が行われている区画と、出展の準備中の区画と、出展がなされていない区画とは、識別可能に表示されることを特徴とする。
【００１８】
本発明は、インターネット上で仮想的な会場を提供する為の仮想会場提供プログラムであって、
コンピュータを、選択可能に設けられた複数の区画を有する仮想的な会場を端末装置に表示する為に、出展者が出展する複数の区画を有する会場情報を出力する会場出力手段と、
出展ブースを前記端末装置に表示する為に、前記区画ごとに設定され、前記会場において選択された区画のブース情報を出力するブース出力手段と、
前記出展ブースにおいて受け付けた出品物の表示要求に応じて、前記出展者の出品物に関する出品物情報を出力する出品物出力手段と、として機能させ、
前記端末装置で表示される区画の内少なくとも、出展が行われている区画と、出展の準備中の区画と、出展がなされていない区画とは、識別可能に表示されることを特徴とする。
【発明の効果】
【００１９】
本発明によれば、商品の展示や販売等を行う為の仮想的な展示会の運営を、効率的に取り行う為の仮想ブース提供システムを提供することができる。
【図面の簡単な説明】
【００２０】
【図１】本発明の実施形態に関る仮想ブース提供システムの全体構成を示す図である。
【図２】本発明の実施形態に関る仮想ブース提供サーバ１におけるハードウェア構成図である。
【図３】本発明の実施形態に関る仮想ブース提供システムの機能的構成要素を示す機能ブロック図である。
【図４】本発明の実施形態に関る記憶部２に記憶された情報の一例を示す図である。図４（ａ）は出品物情報の一例を示し、図４（ｂ）は一覧情報の一例を示し、図４（ｃ）は出展者情報２６の一例を示している。
【図５】本発明の実施形態に関る会場ページＰ１の画面表示例を示す図である。
【図６】本発明の実施形態に関る一覧ページＰ２の画面表示例を示す図である。
【図７】本発明の実施形態に関るブースページＰ３及び出品物ページＢの画面表示例を示す図である。図７（ａ）はブースページＰ３の画面表示例を示し、図７（ｂ）はブースページＰ３及び出品物ページＢの画面表示例を示している。
【図８】本発明の実施形態に関るブースページＰ３及び出品物ページＢの画面表示例を示す図である。
【図９】本発明の実施形態に関るブースページＰ３を表示する際の処理フローチャートである。
【図１０】本発明の実施形態に関るブースページＰ３の表示から決済までの処理フローチャートである。
【発明を実施するための形態】
【００２１】
以下、図面を参照して、本発明の一実施形態に関る商品の展示や販売等を行う為の仮想ブース提供システムについて説明する。なお、以下に示す実施形態は本発明の一例であり、本発明を以下の実施形態に限定するものではない。本実施形態では、イラスト、画集、グッズ、音声データ、動画データ等を作成するサークルが、仮想ブース提供システムで提供される仮想的なイベント会場に集い、それら出品物の展示・販売を行う場合について例示する。本発明によって提供される仮想的なイベントの種類は展示会、販売会等、何ら限定されない。
【００２２】
図１は、本実施形態に関る仮想ブース提供システムの全体構成を示す図である。図１において、符号１は仮想ブース提供サーバを示し、符号２は記憶部を示し、符号３は来場者が使用するユーザ端末を示している。これらの装置は、例えばインターネットやイントラネット等のネットワークＮを介して接続されている。
【００２３】
仮想ブース提供サーバ１は、ユーザ（来場者）の所有するユーザ端末３に対して、仮想的なイベント会場の提供と、各出展者の出品物の販売と、を提供する。
【００２４】
図２に、仮想ブース提供システムを構成する仮想ブース提供サーバ１におけるハードウェア構成図を示す。この仮想ブース提供サーバ１は、ＣＰＵ１０１、メモリ１０２、ディスプレイ１０３、キーボード／マウス１０４、ハードディスク１０５、及び通信回路１０６を備えている。また、ユーザ端末３も、仮想ブース提供サーバ１と同様のハードウェア構成で構成されている。
【００２５】
ハードディスク１０５には、オペレーティングシステム（ＯＳ）１０７と、仮想ブース提供プログラム１０８、ウェブサーバ機能を実現するためのプログラム等が記録されている。通信回路１０６は、他のコンピュータ装置との接続を行うための回路であって、インターネットに接続可能である。
【００２６】
ユーザ端末３は、ユーザの所有するインターネット（ネットワークＮ）に接続可能なコンピュータであって、ウェブブラウザ機能を備えている。ユーザ端末３は、例えば、据置型又は携帯型のパーソナルコンピュータや携帯電話、スマートフォン、携帯情報端末（ＰＤＡ）等である。
【００２７】
図３は、仮想ブース提供システムの機能的構成要素を示す機能ブロック図である。仮想ブース提供サーバ１は、ページ生成手段１０と、追加手段１６と、決済手段１７と、を備えている。ユーザ端末３はページ取得手段３１と、表示制御手段３２と、出力手段３３と、を備えている。
【００２８】
記憶部２は、会場情報２１と、ブース情報２２と、出品物情報２３と、カタログ情報２４と、一覧情報２５と、出展者情報２６と、ユーザ情報２７と、を有している。会場情報２１は、複数のブースを有する仮想的な展示会場の会場ページを表示する為に用いられる。ブース情報２２は、会場ページにおいてユーザにより選択されたブースページを表示する為に用いられる。
【００２９】
出品物情報２３は、出展者がブースにおいて出品している出品物に関する情報を有している。図４は、記憶部２に記憶された情報の一例を示す図である。図４（ａ）に示すように、本実施形態における出品物情報２３は、出品している商品の名称、商品画像（又は／及び商品動画）、価格、商品の詳細、等を有している。
【００３０】
カタログ情報２４は、出品物をカタログページ上に表示する為に用いられる。一覧情報２５は、会場ページ上に表される各ブースの位置及び出展者の対応関係を示す一覧ページを表示する為に用いられる。図４（ｂ）は、本実施形態における一覧情報の一例を示している。
【００３１】
出展者情報２６は、出展者に関する情報を有している。図４（ｃ）に示すように、本実施形態における出展者情報２６は、出展者名と、出展者のホームページやＳＮＳ（Social Networking Service）ページ等の外部リンクと、出展者によるコメントと、を有している。ユーザ情報２７は、ユーザの名前や、住所、出品物である商品の購入履歴、決済情報、等を有している。
【００３２】
ページ生成手段１０は、会場ページのページ情報を出力する会場出力手段１１と、ブースページのページ情報を出力するブース出力手段１２と、出品物を表示したカタログページのページ情報を出力する出品物出力手段１３と、一覧ページのページ情報を出力する一覧出力手段１４と、ブースページ上で選択されたブースに出展している出展者の情報を表示する出展者出力手段１５と、を備えている。
【００３３】
追加手段１６は、ブースに出品された出品物を購入リストに追加する。決済手段１７は、購入リストに含まれる購入対象の決済処理を行う。
【００３４】
ページ取得手段３１は、所定のページを指定する処理を行った際に、ＵＲＬ（Uniform Resource Locator）を含むページ要求をページ生成手段１０に送信する。その後、ページ取得手段３１は、ページ生成手段１０がそのＨＴＴＰ（Hypertext Transfer Protocol）リクエストに応じて送ってきたページデータを受信し、当該データを表示制御手段３２に出力する。
【００３５】
表示制御手段３２は、ウェブページをユーザ端末３のディスプレイ上に表示する。表示制御手段３２は、ページデータに含まれるＨＴＭＬ（HyperText Markup Language）データ及びスクリプト（例えばJavaScript（登録商標））がユーザ端末３のＣＰＵ又は主記憶部上に展開されて実行されることで実現される。
【００３６】
以下では図５〜８を用いて、仮想的なイベント会場の表示一例を説明する。まず、表示制御手段３２は、会場出力手段１１からページ取得手段３１に入力された会場ページデータに基づいて、図５に示すような会場ページＰ１を表示する。
【００３７】
会場ページＰ１は、複数のブースＣと、ブースの位置を識別する為の配置情報Ｉと、一覧表示部Ｖと、を有している。また本実施形態では、ブースＣは、出展者によって出展が行われ、ブースページの閲覧が可能なブースＣ１と、出展準備が行われており、ブースページをまだ閲覧することのできないブースＣ２と、出展が行われていないブースＣ３と、を有している。配置情報Ｉは、各ブースに割り振られたブース番号０１〜３０と、ブースの列記号Ａ〜Ｉによって、それぞれのブースの位置を表している。
【００３８】
ユーザは、表示されたページ上をカーソルＡで選択することで、仮想的なイベント会場を構成する各ページを移動することができる。一覧表示部ＶがカーソルＡによって選択されると、ページ取得手段３１はページ生成手段１０に対して一覧ページの出力要求を行う。一覧出力手段１４はページ取得手段３１に一覧ページデータを返送し、表示制御手段３２は、入力されたに一覧ページデータに基づいて、図６に示すような一覧ページＰ２を表示する。
【００３９】
一覧ページＰ２は、図４（ｂ）に示す一覧情報に基づいて、生成される。一覧ページＰ２では、出展者の情報及び配置情報Ｉが紐付けて表示されており、ユーザは、一覧ページＰ２を確認することで、どのブースにどの出展者がいるのか容易に把握することが可能である。
【００４０】
また、会場ページＰ１において、カーソルＡを用いて出展者情報の出力要求を行うことで、出展者情報の少なくとも一部を表示することもできる。本実施形態では、会場ページＰ１上に表された所定のブースにカーソルＡを合わせて所定の時間経過すると（マウスオーバーすると）、ページ取得手段３１がページ生成手段１０に対して、出展者情報の出力要求を行う。出展者出力手段１５はページ取得手段３１に出展者情報の少なくとも一部を返送し、表示制御手段３２は、入力されたに出展者情報に基づいて出展者の名称をポップアップ表示する。符号Ｕは、会場ページＰ１に現れたブースＣ１（図中におけるＣ−２２）をマウスオーバーした際に現れるポップアップ表示を示す。
【００４１】
会場ページＰ１上において、ユーザがカーソルＡを介してブースＣ１を選択することで、ページ取得手段３１は、ページ生成手段１０に対してブースページデータの出力要求を行う。ブース出力手段１２はページ取得手段３１にブースページデータを返送し、表示制御手段３２は、入力されたにブースページデータに基づいて、図７に示すようなブースページＰ３を表示する。
【００４２】
図７（ａ）は、ブースページＰ３の一例を示す画面表示例である。本実施形態では、ブースページＰ３は、会場ページＰ１と別のウィンドウで開かれる。会場ページＰ１を表示したウィンドウをブースページＰ３に変化させたり、会場ページＰ１を表示したタブと別のタブで表示したり、会場ページＰ１上にモーダルウィンドウを表示することでブースページＰ３を表示するようにしても構わない。
【００４３】
ブースページＰ３は、外部リンクを用いて外部のウェブページに移動する為の外部リンク部Ｌ（図示例ではＬ１〜Ｌ３）と、出品物を表示する為の出品物表示部Ｍ（図示例ではＭ１及びＭ２）と、を有している。ユーザは、外部リンク部Ｌを選択することで、出展者のホームページや、ＳＮＳアカウントのページ等、外部のウェブページを閲覧することができる。出品物表示部Ｍを選択することで、出展者の用意した商品やサービス等の情報を、カタログ上に表示して閲覧することができる。
【００４４】
ブースページＰ３上において、ユーザがカーソルＡを介して出品物表示部Ｍを選択することで、ページ取得手段３１は、ページ生成手段１０に対して出品物ページデータの出力要求を行う。出品物出力手段１３はページ取得手段３１に出品物ページデータを返送し、表示制御手段３２は、入力されたに出品物ページデータに基づいて、図７（ｂ）に示すような出品物ページＢを表示する。
【００４５】
本実施形態では、出品物ページＢは、ブースページＰ３上にモーダルウィンドウとして開かれる。ブースページＰ３を表示したウィンドウを出品物ページＢに変化させたり、ブースページＰ３を表示したタブと別のタブで表示したり、新たなウィンドウで出品物ページＢを表示するようにしても構わない。
【００４６】
図８は、出品物ページＢを変化させた際の画面例を示す図である。出品物ページＢは、ページＢ１〜Ｂ３を有した電子書籍状の構造を有している。各ページには、それぞれの出品物の情報が記載されており、ユーザは、カーソルＡを用いて出品物ページＢのページＰ１〜Ｐ３をめくることができ、当該出展者による出品物のカタログを閲覧することができる。
【００４７】
出品物ページＢのページＢ１には、出展者の名称やサークル名、コメントなどが表示され、ページＢ２、Ｂ３には、出品物の商品画像、作家名（名称）、サークル名、内容（詳細）等が表示されている。
【００４８】
ユーザは、出品物ページＢに表示された商品を選択することができる。追加手段１６は、出力手段３３を介して商品の購入リストへの追加要求を受け取り、ユーザによって選択された商品をユーザの購入リストに追加する。また、決済手段１７は、出力手段３３を介して購入リストに追加された商品の決済要求を受け取り、決済を行う。購入時には、ユーザ情報２７として記録された、又は新たに入力された氏名、商品発送先の住所、クレジットカードの番号等の決済情報、に基づいて、決済が行われる。
【００４９】
決済手段１７による決済は、必ずしもブースごとに行われる必要はない。ユーザは、あるブースで商品を購入リストに追加した後、他の出展者のブースページＰ３に移動して、出品物ページＢを表示し、商品を購入リストに追加可能であってもよい。その場合、複数の出展者が出展していた商品が混在する購入リストに対して、決済手段１７を利用して決済することが可能である。
【００５０】
図９、図１０を用いて、仮想ブース提供システム処理の流れについて説明する。まず、図９を用いてブースページＰ３を表示するまでの処理について説明する。ステップＳ１では、ページ取得手段３１及び表示制御手段３２を介して、会場ページＰ１がユーザ端末３のウェブブラウザ上に表示される。
【００５１】
ステップＳ２では、会場ページＰ１上で、ユーザから出展者情報の出力要求がなされたか否かを判定する。出展者情報の出力要求がなされた場合（ステップＳ２でＹｅｓ）、出展者の名称やサークル名など、出展者情報をポップアップ表示する（ステップＳ３）。出展者情報の出力要求がなされない場合（ステップＳ２でＮｏ）、ステップＳ４に進む。
【００５２】
ステップＳ４では、会場ページＰ１上で一覧表示部Ｖが選択され、ユーザから一覧ページの出力要求がなされたか否かを判定する。一覧ページＰ２の出力要求がなされた場合（ステップＳ４でＹｅｓ）、一覧ページＰ２を表示し（ステップＳ５）、ステップＳ６に進む。一覧ページＰ２の出力要求がなされない場合（ステップＳ４でＮｏ）、ステップＳ７に進む。
【００５３】
ステップＳ６では、一覧ページＰ２上でブースが選択され、ユーザからブースページＰ３の出力要求がなされたか否かを判定する。ブースページＰ３の出力要求がなされた場合（ステップＳ６でＹｅｓ）、ステップＳ８に進み、ブースページＰ３を出力する。ブースページの出力要求がなされない場合（ステップＳ６でＮｏ）、ステップＳ２に戻って会場ページＰ１を表示する。
【００５４】
ステップＳ７では、会場ページＰ１上でブースＣ１が選択され、ユーザからブースページＰ３の出力要求がなされたか否かを判定する。ブースページＰ３の出力要求がなされた場合（ステップＳ７でＹｅｓ）、ステップＳ８に進み、ブースページＰ３を出力する。ブースページの出力要求がなされない場合（ステップＳ７でＮｏ）、ステップＳ２に戻って会場ページＰ１を表示する。
【００５５】
次に、図１０を用いてブースページＰ３の表示から商品の決済までの処理について説明する。ステップＳ１１では、ページ取得手段３１及び表示制御手段３２を介して、ブースページＰ３がユーザ端末３のウェブブラウザ上に表示される。
【００５６】
ステップＳ１２では、ブースページＰ３上で、ユーザから外部ページへの移動要求がなされたか否かを判定する。外部ページへの移動要求がなされた場合（ステップＳ１２でＹｅｓ）、外部ページへのリンク情報を出力する（ステップＳ１３）。外部ページへの移動要求がなされない場合（ステップＳ１２でＮｏ）、ステップＳ１４に進む。
【００５７】
ステップＳ１４では、ブースページＰ３上で出品物表示部Ｍが選択され、ユーザから出品物ページＢの出力要求がなされたか否かを判定する。出品物ページＢの出力要求がなされた場合（ステップＳ１４でＹｅｓ）、出品物ページＢを表示し（ステップＳ１５）、ステップＳ１６に進む。出品物ページＢの出力要求がなされない場合（ステップＳ１４でＮｏ）、ステップＳ１６に進む。
【００５８】
ステップＳ１６では、出品物ページＢ上で商品が選択され、ユーザから購入リストへの追加要求がなされたか否かを判定する。ユーザから購入リストへの追加要求がなされた場合（ステップＳ１６でＹｅｓ）、対象の商品を購入リストに追加し（ステップＳ１７）、ステップＳ１８に進む。ユーザから購入リストへの追加要求がなされない場合（ステップＳ６でＮｏ）、ステップＳ１８進む。
【００５９】
他のブースを見る場合（ステップＳ１８でＹｅｓ）には、図９のステップＳ２に戻り、会場ページＰ１から別のブースへ移動する。他のブースを見ない場合（ステップＳ１８でＮｏ）には、ステップＳ１９に進み購入リストに追加された商品の決済処理を行う。
【００６０】
本発明によれば、複数の区画を有する会場と、個々の出展者のブースと、個々の出展者の出品物情報と、を表示して、仮想的な会場を提供することができる。
【００６１】
また、出展者のブースにおいて、個々の出展者の出品物をカタログ上の電子コンテンツとして閲覧することができ、より現実に近い形で出品物を閲覧することができる。これにより、どのような出品物があるのかを、容易に確認することができる。
【００６２】
また、購入リストへの商品の追加を行う追加手段と、決済手段を提供することで、個々のブースで個別に決済を行う必要が無くなり、複数のブースを周って希望の商品を選択した後、まとめて決済を行うことができる。
【００６３】
また、会場ページＰ１から一覧ページＰ２の出力要求や、会場ページＰ１において出展者情報のポップアップ表示Ｕ等を行うことにより、会場ページＰ１に表れるブースと出展者の対応関係を容易に把握することができ、会場内の移動（ブースページＰ３の表示）を効率的に行うことができる。
【符号の説明】
【００６４】
１  仮想ブース提供サーバ
１０１  ＣＰＵ
１０２  メモリ
１０３  ディスプレイ
１０４  キーボード／マウス
１０５  ハードディスク
１０６  通信回路
１０７  オペレーティングシステム（ＯＳ）
１０８  仮想ブース提供プログラム
１０  ページ生成手段
１１  会場出力手段
１２  ブース出力手段
１３  出品物出力手段
１４  一覧出力手段
１５  出展者出力手段
１６  追加手段
１７  決済手段
２  記憶部
２１  会場情報
２２  ブース情報
２３  出品物情報
２４  カタログ情報
２５  一覧情報
２６  出展者情報
２７  ユーザ情報
３  ユーザ端末
３１  ページ取得手段
３２  表示制御手段
３３  出力手段
Ｎ  ネットワーク
Ｐ１  会場ページ
Ｃ，Ｃ１，Ｃ２，Ｃ３  ブース
Ｉ  配置情報
Ｖ  一覧表示部
Ａ  カーソル
Ｕ  ポップアップ表示
Ｐ２  一覧ページ
Ｐ３  ブースページ
Ｌ  外部リンク部
Ｍ  出品物表示部
Ｂ  出品物ページ
Ｂ１，Ｂ２，Ｂ３  ページ
【要約】
【課題】商品の展示や販売等を行う為の仮想的な展示会の運営を、効率的に取り行う為の仮想ブース提供システムを提供することを課題とする。
【解決手段】インターネット上で仮想的な会場を提供する為の仮想会場提供システムであって、選択可能に設けられた複数の区画を有する仮想的な会場をユーザの端末装置に表示する為に、会場情報を出力する会場出力手段と、出展ブースを端末装置に表示する為に、前記会場において選択された区画のブース情報を出力するブース出力手段と、前記出展ブースにおいて受け付けた出品物の表示要求に応じて、出品物情報を出力する出品物出力手段と、を有することを特徴とする。
【選択図】図５【図１】
0005950266.tif 000002
【図２】
0005950266.tif 000003
【図３】
0005950266.tif 000004
【図４】
0005950266.tif 000005
【図５】
0005950266.tif 000006
【図６】
0005950266.tif 000007
【図７】
0005950266.tif 000008
【図８】
0005950266.tif 000009
【図９】
0005950266.tif 000010
【図１０】
0005950266.tif 000011